【手続補正書】
【提出日】平成16年5月20日(2004.5.20)
【手続補正１】
【補正対象書類名】明細書
【補正対象項目名】請求項５
【補正方法】変更
【補正の内容】
【請求項５】  ステロールとエトキシル化ステロールとの混合物を含有する請求項１または２に記載の洗浄剤調製物。
【手続補正２】
【補正対象書類名】明細書
【補正対象項目名】０００９
【補正方法】変更
【補正の内容】
【０００９】
最後に挙げた生成物は典型的なＯ／Ｗ−型乳化剤の性質を有している。その結果としてこの生成物はＯ／Ｗ−型エマルジョンにおいて相応する乳化剤として並びに可溶化剤として使用でき、非エトキシル化生成物はＷ／Ｏ−型乳化剤あるいは共乳化剤として適している。それらの乳化特性の他に植物ステロールは負傷した皮膚または環境の影響の負荷の多い皮膚の場合に、例えば体質上の神経皮膚炎の場合または日焼け症状の場合に積極的に使用することができる。更にかゝる生成物は上述の適用の他にエマルジョンとして毛髪洗浄剤としても使用することができる。Ｇｅｎｅｒｏｌ(R) 含有シャンプーを使用することによって濡れた状態での髪梳き性および毛髪光沢を向上させることができる。更に最後に挙げた文献には乾燥肌のためのＷ／Ｏ−型肌用クリームが開示されており、このクリームは通例のＷ／Ｏ−型乳化剤および種々の油成分並びに増粘剤および安定剤の他に共乳化剤として１％のＧｅｎｅｒｏｌ(R) １２２を含有している。更にそこには、カチオン性エマルジョンベース並びに増粘剤および添加物の他に油成分、Ｇｅｎｅｒｏｌ(R) １２２の様なＷ／Ｏ−型乳化剤を１．０％の量で含有する毛髪洗浄剤も開示されている。この場合には更に、Ｇｅｎｅｒｏｌ(R) １２２が長鎖脂肪酸、脂肪アルコールまたは燐脂質と一緒に、多層小胞体または層を形成することができることが確認できる。この場合、植物ステロールを多層脂質層中に封入することから出発している。エトキシル化されたＧｅｎｅｒｏｌ製品はＧｅｎｅｒｏｌ(R) １２２と反対に層配列状態で存在している。この場合に７０％以下の水含有量の場合には層状相が展開されるが、７０％以上に水含有量が増加した場合には多層小胞体、要するにリポソームに換わる。しかしながらこの場合には界面活性剤が存在していてはいけない。
【手続補正３】
【補正対象書類名】明細書
【補正対象項目名】００２０
【補正方法】変更
【補正の内容】
【００２０】
非イオン性界面活性剤は特にアルカノールアミド、脂肪酸エトキシレート、脂肪アルコールエトキシレート、アルキルポリグリコシド、特に炭素原子数８〜１６のアルキル残基を有するアルキルポリグリコシド、例えばＰｌａｎｔａｃａｒｅ(R) ２０００ＵＰ（デシルグルコシド）、ソルビタンエステル、例えばＴｗｅｅｎ(R) ２０（ポリソルバート(Polysorbate) ２０）、アミノオキシド、特にＣ7 〜Ｃ26−アルキル鎖を有する脂肪アミノオキシド、例えばＩｎｃｒｏｍｉｎｅ  Ｏｘｉｄｅ(R) Ｃ３０（コカミドプロピルアミン−オキシド）よりなる群から選択するのが有利である。
【手続補正４】
【補正対象書類名】明細書
【補正対象項目名】００２５
【補正方法】変更
【補正の内容】
【００２５】
上記のステロールの量は０．５〜５％、殊に０．５〜３％、特に０．５〜２％が有利である。中でも非エトキシル化植物ステロール、例えばＧｅｎｅｒｏｌ(R) １２２Ｎと５単位エトキシル化された植物ステロール、例えばＧｅｎｅｒｏｌ(R) １２２Ｎ  Ｅ５Ｄとの混合物が特に有利である。この場合、エトキシル化ステロールの割合は非エトキシル化ステロールより多いかまたは同じの割合、特に５：１重量％〜１：１重量％の比であるのが好ましい。中でも３：１重量％の比が特に有利である。更に、非エトキシル化ステロール、例えばＧｅｎｅｒｏｌ(R) １２２Ｎだけを上述の量、例えば１重量％の量で使用するのも特に有利である。
【手続補正５】
【補正対象書類名】明細書
【補正対象項目名】００４４
【補正方法】変更
【補正の内容】
【００４４】
実施例１：
ＩＮＣＩ表記／商品名                                  ％
────────────────────────────────────  
ミルス(Myreth)硫酸ナトリウム(27 ％濃度)             40.00
コカミドプロピル- ベタイン (31％濃度)               10.00
ＰＥＧ-5大豆ステロール（Generol (R) 122N E5D)        1.50
大豆ステロール（Generol (R) 122N)                    0.50
ポリクオーターニウム- ２２                           1.00
薬用マンネンロウ                                     1.00 
ダイダイ属アウランチホーリア (Citrus aurantifolia)   1.00
ラウレス−３                                         1.00
Antil (R) 208 *                                      0.50
ＥＤＴＡ二ナトリウム                                 0.10
塩化ナトリウム                                       0.68
保存剤、着色剤                                       適量
脱塩水                                      全部で100.00とする量
───────────────────────────────────
*アクリレ−ト／ステアレス-50 コポリマー＋プロピレングリコール＋ラウレス-3
実施例２：
ＩＮＣＩ表記／商品名                                ％
────────────────────────────────────  
ラウレス硫酸ナトリウム(28 ％濃度)                 30.00
コカミドプロピルアミンオキシド (30％濃度)         10.00
ラウリル硫酸ナトリウム(90 ％濃度)                  3.50
ＰＥＧ-5大豆ステロール（Generol (R) 122N E5D)      1.50
大豆ステロール（Generol (R) 122N)                  0.50
ポリクオーターニウム- ２２                         1.00
薬用マンネンロウ                                   1.00
ダイダイ属アウランチホーリア(Citrus aurantifolia)  1.00
ラウレス−３                                       0.60
Antil (R) 208 *                                    0.20
ＥＤＴＡ二ナトリウム                               0.10
塩化ナトリウム                                     0.51
保存剤、着色剤                                     適量
脱塩水                                      全部で100.00とする量
───────────────────────────────────
* アクリレ−ト／ステアレス-50 コポリマー＋プロピレングリコール＋ラウレス-3
実施例３：
ＩＮＣＩ表記／商品名                                ％
────────────────────────────────────
ラウリル硫酸アンモニウム(27 ％濃度)               10.00
ラウレス硫酸ナトリウム(28 ％濃度)                 30.00
コカミドプロピルアミンオキシド (30％濃度)         10.00
ＰＥＧ-5大豆ステロール（Generol (R) 122N E5D)      1.50
大豆ステロール（Generol (R) 122N)                  0.50
コカミドＭＥＡ                                     1.50 
ポリクオーターニウム- ２２                         1.00
薬用マンネンロウ                                   1.00 
ダイダイ属アウランチホーリア(Citrus aurantifolia)  1.00
グリセリン                                         3.00
ＥＤＴＡ二ナトリウム                               0.10
保存剤、着色剤、クエン酸                           適量
脱塩水                                      全部で100.00とする量
───────────────────────────────────
実施例４
ＩＮＣＩ表記／商品名                                ％
────────────────────────────────────
ラウレス硫酸ナトリウム(28 ％濃度)                 30.00
コカミドプロピルアミンオキシド(30 ％濃度)         10.00
ラウリル硫酸ナトリウム(90 ％濃度)                  3.50
ＰＥＧ-5大豆ステロール（Generol (R) 122N E5D)      1.50
大豆ステロール（Generol (R) 122N)                  0.50
コカミドＭＥＡ                                     1.50
ポリクオーターニウム- ２２                         1.00
フトモモ科ユーカリノキ                             1.00
ハッカ属アルベニス(Mentha arvensis)                0.125
オオハンゴンソウ(Echinacea angustifolia)           1.00
グリセリン                                         3.00
香料                                               0.50
ＥＤＴＡ二ナトリウム                               0.10
塩化ナトリウム                                     0.30
保存剤、着色剤、クエン酸                           適量
脱塩水                                      全部で100.00とする量
───────────────────────────────────
実施例５
ＩＮＣＩ表記／商品名                                   ％
────────────────────────────────────
ＭＩＰＡラウリル硫酸(60 ％濃度)                       5.00
ラウレス硫酸ナトリウム(28 ％濃度)                    30.00
コカミドプロピルアミンオキシド(30 ％濃度) )          10.00
ＰＥＧ-5大豆ステロール（Generol (R) 122N E5D)         1.50
大豆ステロール（Generol (R) 122N)                     0.50
コカミドＭＥＡ                                        1.00
ポリクオーターニウム- ２２                            1.00
グリセリン                                            3.00
オミナエシ科セイヨウカノコソウ(valerianae officinals) 0.08
オガルカヤ科マルチニ(Cymbopopon martinii)             0.15
ダイダイ属デユルシス(Citrus dulcis)                   0.50
ラヴェンデユラ(Lavandula angustifolia)                0.15
ラウレス-3                                            1.00
香料                                                  1.00
ＥＤＴＡ二ナトリウム                                  0.10 
保存剤、着色剤、クエン酸                              適量
脱塩水                                      全部で100.00とする量
──────────────────────────────────
実施例６
ＩＮＣＩ表記／商品名                                 ％
────────────────────────────────────
ＭＩＰＡラウリル硫酸(60 ％濃度)                     10.00
コカミドプロピルアミンオキシド(30 ％濃度) )         10.00
ラウリル硫酸アンモニウム(27 ％濃度)                 20.00
ＰＥＧ-5大豆ステロール（Generol (R) 122N E5D)        1.50
大豆ステロール（Generol (R) 122N)                    0.50
コカミドＭＥＡ                                       1.50
ポリクオーターニウム- ２２                           1.00
フトモモ科ユーカリノキ                               1.00
ハッカ属(Mentha arvensis)                            0.125
オオハンゴンソウ(Echinacea angustifolia)             1.00
グリセリン                                           3.00
Antil (R) 208 *                                      1.50
香料                                                 0.50
ＥＤＴＡ二ナトリウム                                 0.10
保存剤、着色剤、クエン酸                             適量
脱塩水                                      全部で100.00とする量
──────────────────────────────────
*アクリレ−ト／ステアレス-50 コポリマー＋プロピレングリコール＋ラウレス-3
実施例７
ＩＮＣＩ表記／商品名                                ％
────────────────────────────────────
ＭＩＰＡラウリル硫酸(60 ％濃度)                    5.00
ラウレス硫酸ナトリウム(28 ％濃度)                 30.00
コカミドプロピルアミンオキシド(30 ％濃度)         10.00
ＰＥＧ-5大豆ステロール（Generol (R) 122N E5D)      1.50
大豆ステロール（Generol (R) 122N)                  0.50
コカミドＭＥＡ                                     1.50
ポリクオーターニウム- ２２                         1.00
薬用マンネンロウ                                   1.00
ダイダイ属(Citrus aurantifolia)                    1.00
グリセリン                                         3.00
Antil (R) 208 *                                    1.00
香料                                               0.50
ＥＤＴＡ二ナトリウム                               0.10
保存剤、着色剤、クエン酸                           適量
脱塩水                                      全部で100.00とする量
──────────────────────────────────
*アクリレ−ト／ステアレス-50 コポリマー＋プロピレングリコール＋ラウレス-3
実施例８
ＩＮＣＩ表記／商品名                                ％
────────────────────────────────────
ＭＩＰＡラウリル硫酸(60 ％濃度)                   20.00
コカミドプロピルアミンオキシド(30 ％濃度)         10.00
ＰＥＧ-5大豆ステロール（Generol (R) 122N E5D)      1.50
大豆ステロール（Generol (R) 122N)                  0.50
コカミドＭＥＡ                                     1.50
ポリクオーターニウム- ２２                         1.00
フトモモ科ユーカリノキ                             1.00
ハッカ属(Mentha arvensis)                          0.125
オオハンゴンソウ(Echinacea angustifolia)           1.00
グリセリン                                         3.00
Antil (R) 208 *                                    1.50
香料                                               0.50
ＥＤＴＡ二ナトリウム                               0.10
保存剤、着色剤、クエン酸                           適量
脱塩水                                      全部で100.00とする量
──────────────────────────────────
*アクリレ−ト／ステアレス-50 コポリマー＋プロピレングリコール＋ラウレス-3
実施例９
ＩＮＣＩ表記／商品名                              ％
────────────────────────────────────
ラウレス硫酸アンモニウム(24 ％濃度)               10.00
コカミドプロピルアミンオキシド(30 ％濃度)         10.00
ラウリル硫酸アンモニウム (27％濃度)               20.00
ＰＥＧ-5大豆ステロール（Generol (R) 122N E5D)      1.50
大豆ステロール（Generol (R) 122N)                  0.50
コカミドＭＥＡ                                     1.50 
ポリクオーターニウム- ２２                         1.00
ニコチン酸メチル                                   0.005
サリチル酸グリコール                               1.00
マツ科西洋ビャクシン                               0.10
松果体                                             0.40
薬用マンネンロウ(Rosmarinus officinalis)           0.40
薬用ショウガ(Zingiber officinalis)                 0.20
グリセリン                                         3.00
Antil (R) 208 *                                    0.50
香料                                               0.50
ＥＤＴＡ二ナトリウム                               0.10
保存剤、着色剤、クエン酸                           適量
脱塩水                                      全部で100.00とする量
──────────────────────────────────
*アクリレ−ト／ステアレス-50 コポリマー＋プロピレングリコール＋ラウレス-3
II. 本発明の調製物中のリポソーム構造の確認
以下の写真１〜９に実施例１〜９に従う調製物のリポソーム構造（球状形成物）を凍結粉砕後に透過電子顕微鏡によって示す。